(57)【要約】      （修正有）【課題】太陽電池を電源に二次電池を充電するに際し、低照度での充電を可能にする。【解決手段】低照度での発電が可能な色素増感太陽電池（ＤＳＣ）２からの電力で、ＤＣ−ＤＣコンバータ３が２次電池４を充電するにあたって、そのＤＣ−ＤＣコンバータ３の前段にスイッチ素子５１（Ｑ３）を設けて、ＯＮ／ＯＦＦ制御回路７２がコンバータ３を完全に切り離す。太陽電池２とスイッチ素子５１（Ｑ３）との間には蓄電素子６（Ｃ１）を設けておき、その蓄電素子６（Ｃ１）を充電し、充電電圧が高くなると、電圧監視回路７１がＯＮ／ＯＦＦ制御回路７２にスイッチ素子５１（Ｑ３）をＯＮさせる。したがって、負荷（ＤＣ−ＤＣコンバータ３）の切離しで低照度での太陽電池２の出力電圧を立上がり易くできるとともに、切離して出力電圧が立上がるまでの電力を蓄電素子６に蓄積し、利用するので、低照度環境下でも、より効率的に太陽エネルギーを取り込むことができる。【選択図】図２
2018038224.tif 000002
【特許請求の範囲】
【請求項１】
太陽電池を電源として、その出力電力で二次電池を充電する充電回路において、
前記太陽電池の出力電力を前記二次電池に予め定められる充電電圧および充電電流に変換して与えるＤＣ−ＤＣコンバータと、
前記ＤＣ−ＤＣコンバータの前段に介在され、前記太陽電池の出力電力で充電される蓄電素子と、
前記蓄電素子と前記ＤＣ−ＤＣコンバータとの間に介在されるスイッチ素子と、
前記蓄電素子の充電電圧を監視し、前記充電電圧が予め定める電圧となると、前記スイッチ素子をＯＮさせて、前記蓄電素子の充電電力を前記ＤＣ−ＤＣコンバータに給電することで、該ＤＣ−ＤＣコンバータを動作させる制御回路とを含むことを特徴とする太陽電池を電源とした充電回路。
【請求項２】
前記太陽電池が共通接点に接続され、前記蓄電素子が一方の個別接点に接続される切換えスイッチと、
前記切換えスイッチの他方の個別接点と前記ＤＣ−ＤＣコンバータとを接続するバイパスラインと、
照度を監視し、該照度が予め定める閾値以上の高照度であれば前記切換えスイッチを他方の個別接点に接続し、前記閾値未満の低照度であれば前記切換えスイッチを一方の個別接点に接続する照度センサをさらに備えることを特徴とする請求項１記載の太陽電池を電源とした充電回路。
【請求項３】
太陽電池を電源として、その出力電力で電気二重層キャパシタを充電する充電回路において、
前記太陽電池の出力電力を前記電気二重層キャパシタの定格電圧以下の充電電流に変換して注入する電荷注入手段と、
前記電荷注入手段の前段に介在され、前記太陽電池の出力電力で充電される蓄電素子と、
前記蓄電素子と前記電荷注入手段との間に介在されるスイッチ素子と、
前記蓄電素子の充電電圧を監視し、前記充電電圧が予め定める電圧となると、前記スイッチ素子をＯＮさせて、前記蓄電素子の充電電力を前記電荷注入手段に給電することで、該電荷注入手段を動作させる制御回路とを含み、
前記電荷注入手段は、前記定格電圧以下で、前記蓄電素子の充電電荷量から可能な大電流で電荷を注入することを特徴とする太陽電池を電源とした充電回路。
【請求項４】
前記太陽電池が共通接点に接続され、前記蓄電素子が一方の個別接点に接続される切換えスイッチと、
前記切換えスイッチの他方の個別接点と前記電荷注入手段とを接続するバイパスラインと、
照度を監視し、該照度が予め定める閾値以上の高照度であれば前記切換えスイッチを他方の個別接点に接続し、前記閾値未満の低照度であれば前記切換えスイッチを一方の個別接点に接続する照度センサをさらに備えることを特徴とする請求項３記載の太陽電池を電源とした充電回路。
【請求項５】
前記蓄電素子は、電気二重層キャパシタであることを特徴とする請求項１〜４の何れか１項に記載の太陽電池を電源とした充電回路。
【請求項６】
前記太陽電池は、色素増感太陽電池から成ることを特徴とする請求項１〜５の何れか１項に記載の太陽電池を電源とした充電回路。
【請求項７】
前記太陽電池には、その受光面に色素および／または発電層の厚みの違いによる意匠が形成されていることを特徴とする請求項６記載の太陽電池を電源とした充電回路。
【請求項８】
前記太陽電池による太陽電池パネル部と、
所望の意匠に合せた発光素子を内部に有する自照式の意匠パネル部と、
前記意匠パネル部および太陽電池パネル部を表裏で一体化し、略鉛直に立てた状態で下方から支持するとともに、前記発光素子を点灯させる点灯回路、前記点灯回路を電力付勢する前記二次電池または電気二重層キャパシタおよび前記請求項６または７記載の充電回路を収容する支持部材とを備えることを特徴とする意匠パネル。
【請求項９】
前記表裏で一体化される前記太陽電池パネル部および意匠パネル部の基板は透光性を有し、前記意匠パネル部での背面方向への発光光を前記色素増感太陽電池で回生発電することを特徴とする請求項８記載の意匠パネル。
【発明の詳細な説明】
【技術分野】
【０００１】
本発明は、太陽電池を電源として、蓄電装置である二次電池や電気二重層キャパシタを充電するための回路と、それを用いた自照式の意匠パネルとに関する。
【背景技術】
【０００２】
太陽電池を電源とした二次電池の充電回路において、昇圧または降圧して、安定した電圧で充電できるように、ＤＣ−ＤＣコンバータを備えるものが使用されている。そのＤＣ−ＤＣコンバータは、太陽電池の出力電力を電源として、それ自体で自発的に動作する。具体的には、コンバータＩＣのイネーブル端子ＥＮに所定値以上の電圧が与えられると動作する。そのため、太陽電池、特に低照度下で発電可能な色素増感太陽電池には、ＤＣ−ＤＣコンバータを接続すると、それによる負荷が大き過ぎて、太陽電池は出力電圧が立上がらず、シャットダウン状態となって有効に電力を取り出せないという問題がある。
【０００３】
そこで本件出願人は、先に特許文献１を提案している。図９は、その特許文献１による充電回路１１のブロック図である。この充電回路１１は、太陽電池として、室内使用に好適な、低照度でも発電を行うことができる色素増感太陽電池（ＤＳＣ）２を電源として、ＤＣ−ＤＣコンバータ３が、その出力電力で二次電池４を充電するものである。
【０００４】
ここで、図１０には、太陽電池の出力特性を示す。太陽電池は、負荷が或る程度大きい負荷線ａの場合、高照度ならば高効率で電力を発生するが（電圧Ｖａ，電流Ｉａ）、低照度の場合、電圧がＶｂと小さくなり、取出せる電力（Ｉｂ＊Ｖｂ）も小さくなる。しかしながら、その低照度であっても、負荷が小さい負荷線ｂの場合は、電力は（Ｉｂ＊Ｖｂ’）となり、発電効率が良くなる。
【０００５】
そこで、充電回路１１には、太陽電池２を最大電力点で作動させるために、照明光の強弱に合わせて、負荷を変化させるＭＰＰＴ（Maximum Power Point Tracking）制御回路１２が設けられている。図１０のように、太陽電池は、出力電力が違っても、最大電力点となる電圧は略一定しているので、ＭＰＰＴ制御回路１２が、照明光が強い場合は多くの負荷電流（Ｉａ）を流し、照明光が弱い場合は負荷電流を小さく（Ｉｂ）することで、太陽電池２を最大電力点で作動させられるようになっている。
【０００６】
そして、ＭＰＰＴ制御回路１２の動作は、図１１で示すように、太陽電池２の出力電圧が、一旦、充分な、たとえば光量Ａの最大電力点に対応した電圧で動作を開始し、光量Ｂの最少負荷の電圧で動作を停止する所定のヒステリシスを持って行われる。たとえば、真夏の日中における太陽光の照度を１Ｓｕｎとすると、光量Ａは０．５Ｓｕｎに相当し、光量Ｂは０．０５Ｓｕｎに相当する。
【０００７】
したがって、制御回路１２によるＭＰＰＴ制御が、一旦働けば、照明光の強度が或る程度変化しても（上述の例では１／１０迄低下しても）、二次電池４の充電は継続できる。しかしながら、太陽電池２を二次電池４に接続した（ＤＣ−ＤＣコンバータ３を動作させた）際に、ＤＣ−ＤＣコンバータ３は、上述のように負荷が大きい設定でスタートするので、照明光が弱いと、急激に大きな負荷電流が流れ、太陽電池２の出力電圧が低下して、結果的にＤＣ−ＤＣコンバータ３が立ち上がらず（ロックアウトし）、制御回路１２のＭＰＰＴ制御も働かなくなってしまう。その後、強い照明光が当たると、ＤＣ−ＤＣコンバータ３が動き出し、制御回路１２のＭＰＰＴ制御も機能し始めるが、その間、充電ができないという問題があった。
【０００８】
そこで特許文献１の充電回路１１では、照度が予め定める閾値未満で、かつＤＣ−ＤＣコンバータ３から出力が無い場合に、該ＤＣ−ＤＣコンバータ３を予め定める時間毎にリセットするためのトリガを与えるリセット回路１３を設けている。リセット動作は、ＤＣ−ＤＣコンバータ３の前記イネーブル端子ＥＮがリセットされる（Ｌｏ入力）ことで行われる。そうすることで、該ＤＣ−ＤＣコンバータ３の発振が完全に停止し、太陽電池２からの入力電流が僅か０．３ｍＡとなって、負荷である該ＤＣ−ＤＣコンバータ３および二次電池４が太陽電池２から切離されて太陽電池２の出力端子は開放端になり、端子電圧を復活させている。このような負荷の変化の様子を、図１２に示す。
【先行技術文献】
【特許文献】
【０００９】
【特許文献１】特開２０１６−５７７６２号公報
【発明の概要】
【発明が解決しようとする課題】
【００１０】
特許文献１は、起動不安定時に、参照符号Ｗ１で示すＭＰＰＴ制御の範囲、具体的にたとえば前記の０．０５〜０．５Ｓｕｎの範囲の光量でも、光エネルギーを獲得できるようになっている。
【００１１】
しかしながら、今般、本件出願人は、参照符号Ｗ２で示す特許文献１での充電不可能な極低照度の範囲、具体的にたとえば、０．０５Ｓｕｎ未満の範囲の光量でも、充電を行えるような構成を想到するに至った。
【００１２】
本発明の目的は、太陽電池を電源として、その出力電力で二次電池や電気二重層キャパシタを充電する充電回路において、極低照度の光量であっても、有効に光エネルギーを取込むことができる充電回路およびそれを備える意匠パネルを提供することである。
【課題を解決するための手段】
【００１３】
本発明の充電回路は、前記太陽電池の出力電力を前記二次電池に予め定められる充電電圧および充電電流に変換して与えるＤＣ−ＤＣコンバータと、前記ＤＣ−ＤＣコンバータの前段に介在され、前記太陽電池の出力電力で充電される蓄電素子と、前記蓄電素子と前記ＤＣ−ＤＣコンバータとの間に介在されるスイッチ素子と、前記蓄電素子の充電電圧を監視し、前記充電電圧が予め定める電圧となると、前記スイッチ素子をＯＮさせて、前記蓄電素子の充電電力を前記ＤＣ−ＤＣコンバータに給電することで、該ＤＣ−ＤＣコンバータを動作させる制御回路とを含むことを特徴とする。
【００１４】
上記の構成によれば、太陽電池を電源として、ＤＣ−ＤＣコンバータが前記太陽電池の出力電力を二次電池に予め定められる充電電圧および充電電流に変換して前記二次電池を充電するにあたって、ＤＣ−ＤＣコンバータは、前記太陽電池の出力電力を電源として、それ自体で自発的に動作してしまうので、太陽電池、特に低照度下で発電可能な色素増感太陽電池には、ＤＣ−ＤＣコンバータを接続すると、それによる負荷が大き過ぎて、太陽電池は出力電圧が立上がらず、シャットダウン状態となって有効に電力を取り出せないことがある。
【００１５】
そこで、ＤＣ−ＤＣコンバータの前段にスイッチ素子を設けて、太陽電池からＤＣ−ＤＣコンバータを完全に切り離せるようにする。一方、太陽電池とスイッチ素子との間には蓄電素子を設けておき、前記太陽電池の出力電力で、先ずその蓄電素子を充電するようにする。太陽電池、特に色素増感太陽電池は、電流源素子であり、その時点の光量に対応した発電電流を絶え間なく流し出し、蓄電素子の充電電圧が、この色素増感太陽電池の開放端電圧に達すると充電を終了する。そして、その蓄電素子は、コンデンサなどの容量性素子であり、光量が多い程早く充電を終了する。そこで、この充電電圧を監視し、その監視結果に応じてスイッチ素子をＯＮ／ＯＦＦする制御回路を設ける。
【００１６】
前記制御回路は、前記充電電圧が、予め定める電圧となるまではスイッチ素子をＯＦＦしてＤＣ−ＤＣコンバータへの入力を遮断させておき、予め定める電圧となるとＯＮさせて、前記蓄電素子の充電電力を該ＤＣ−ＤＣコンバータに給電して、該ＤＣ−ＤＣコンバータを動作させる。前記予め定める電圧は、前記太陽電池の開放端電圧に近く、ＤＣ−ＤＣコンバータにとって効率の良い入力電圧範囲であって、コンデンサなどから成る前記蓄電素子の定格電圧以下とする。
【００１７】
したがって、低照度時にＤＣ−ＤＣコンバータが切離されており、かつ直流抵抗値がほぼ無限大のコンデンサなどから成る蓄電素子が接続されていることで、太陽電池の負荷が極限まで軽くなって、前記蓄電素子に前記太陽電池の電流（電荷）が蓄積される。そして蓄電素子の充電電圧が予め定める電圧に立上がると、制御回路は、スイッチ素子をＯＮして、その立上がった電圧でＤＣ−ＤＣコンバータを動作させる。蓄電素子は瞬間的な大電流の供給に適したデバイスであるので、例えＤＣ−ＤＣコンバータの立上げ投入電流が大きくても、問題無く該ＤＣ−ＤＣコンバータを立上げることができる。
【００１８】
一方、ＤＣ−ＤＣコンバータの動作に伴い、蓄電素子の放電が進み、充電電圧が前記予め定める電圧にまで低下すると、制御回路は、スイッチ素子をＯＦＦして、ＤＣ−ＤＣコンバータへの給電を停止して動作を停止させるとともに、再び蓄電素子への充電を開始する。
【００１９】
これによって、前記予め定める電圧未満の範囲の光量（図１１で示す従来では充電不可能な光量の範囲Ｗ２）の光エネルギーを取込み、蓄電素子に蓄積されるので、これまで発電に利用できなかった、たとえば室内灯の光のような極低照度の光も利用して、より効率的に太陽エネルギーを取込むことができる。特に、太陽電池を室内に設置した場合において、より効率的に太陽エネルギーを獲得でき、好適である。
【００２０】
また、本発明の充電回路は、太陽電池を電源として、その出力電力で電気二重層キャパシタを充電する充電回路において、前記太陽電池の出力電力を前記電気二重層キャパシタの定格電圧以下の充電電流に変換して注入する電荷注入手段と、前記電荷注入手段の前段に介在され、前記太陽電池の出力電力で充電される蓄電素子と、前記蓄電素子と前記電荷注入手段との間に介在されるスイッチ素子と、前記蓄電素子の充電電圧を監視し、前記充電電圧が予め定める電圧となると、前記スイッチ素子をＯＮさせて、前記蓄電素子の充電電力を前記電荷注入手段に給電することで、該電荷注入手段を動作させる制御回路とを含み、前記電荷注入手段は、前記定格電圧以下で、前記蓄電素子の充電電荷量から可能な大電流で電荷を注入することを特徴とする。
【００２１】
上記の構成によれば、蓄電装置として電気二重層キャパシタを用いる場合に、より効率的に太陽エネルギーを取込むことができる。そして、その電気二重層キャパシタに電荷を注入する電荷注入手段としては、該電気二重層キャパシタの最大電圧保護を行えればよく、過電圧保護回路等でも可能である。しかしながら、蓄電素子に蓄積した電荷を、できるだけ早く電気二重層キャパシタに渡して、再び光エネルギー蓄積モードに戻すことが望ましい。一方、蓄電装置が、二次電池であっても、電気二重層キャパシタであっても、共に電圧が低い時には、充電時に大きな電流が流れるので、前記電荷注入手段としては、その大電流を流し込むだけの能力のある素子が必要で、ＤＣ−ＤＣコンバータが最適である。
【００２２】
さらにまた、本発明の充電回路では、前記太陽電池が共通接点に接続され、前記蓄電素子が一方の個別接点に接続される切換えスイッチと、前記切換えスイッチの他方の個別接点と前記ＤＣ−ＤＣコンバータまたは電荷注入手段とを接続するバイパスラインと、照度を監視し、該照度が予め定める閾値以上の高照度であれば前記切換えスイッチを他方の個別接点に接続し、前記閾値未満の低照度であれば前記切換えスイッチを一方の個別接点に接続する照度センサをさらに備えることを特徴とする。
【００２３】
上記の構成によれば、ＤＣ−ＤＣコンバータまたは電荷注入手段の前段に蓄電素子を設けることで、上述のように低照度での発電が可能になるが、蓄電素子を通してしか、ＤＣ−ＤＣコンバータは太陽電池の出力電力を取込むことができない。そのため、高照度では、スイッチ素子の切替わり（サイクル）が頻繁になるものの、該スイッチ素子がＯＦＦしている間は、太陽電池の出力電力をＤＣ−ＤＣコンバータに移すことができない。さらに、高照度になると、連続動作状態になり、前記スイッチ素子による充電／放電の切替え時間のロスも無視できなくなる。
【００２４】
そこで、照度センサによる高照度検知機能を設け、たとえば１０，０００lux以上の高照度を検知したら、該照度センサは、太陽電池と蓄電素子との間に設けられた切換えスイッチを切替え、バイパスラインを介して、太陽電池の出力電力を直接ＤＣ−ＤＣコンバータまたは電荷注入手段に与える。これによって、太陽エネルギーの取込みロスを無くすことができる。
【００２５】
さらにまた、本発明の充電回路では、前記蓄電素子は、電気二重層キャパシタであることを特徴とする。
【００２６】
上記の構成によれば、前記蓄電素子としてはコンデンサが一般的であるが、充放電のサイクルが短い場合には、容量の大きい電気二重層キャパシタを用いるようにすれば、より効率的である。
【００２７】
また、本発明の充電回路では、前記太陽電池は、色素増感太陽電池から成ることを特徴とする。
【００２８】
上記の構成によれば、前記太陽電池が色素増感太陽電池（ＤＳＣ）である場合、一般のシリコン太陽電池より低照度での発電効率が高いので低照度での発電が可能になるものの、その低照度時には発電電力も小さく、ＤＣ−ＤＣコンバータまたは電荷注入手段による負荷が大きすぎて、有効に電力を取出せなない。
【００２９】
したがって、本発明の充電回路は、色素増感太陽電池（ＤＳＣ）に好適である。
【００３０】
さらにまた、本発明の充電回路では、前記太陽電池には、その受光面に色素および／または発電層の厚みの違いによる意匠が形成されていることを特徴とする。
【００３１】
上記の構成によれば、前記太陽電池を色素増感太陽電池（ＤＳＣ）とすることで、色素の違いを利用して、受光面に意匠を形成することができる。また、前記色素増感太陽電池（ＤＳＣ）では、発電層（一般的には二酸化チタン）の厚み（層数）の差によっても、意匠を形成することができる。
【００３２】
また、本発明の意匠パネルは、前記太陽電池による太陽電池パネル部と、所望の意匠に合せた発光素子を内部に有する自照式の意匠パネル部と、前記意匠パネル部および太陽電池パネル部を表裏で一体化し、略鉛直に立てた状態で下方から支持するとともに、前記発光素子を点灯させる点灯回路、前記点灯回路を電力付勢する前記二次電池または電気二重層キャパシタおよび前記の充電回路を収容する支持部材とを備えることを特徴とする。
【００３３】
上記の構成によれば、支持部材が意匠パネル部を略鉛直に立てた状態で下方から支持する、楯などとして用いられる意匠パネルにおいて、前記意匠パネル部の背面に太陽電池のパネル部を設け、これによって発電された電力で前記意匠パネル部内の発光素子が点灯する自照式の意匠パネルを構成する。
【００３４】
したがって、楯などの意匠パネルを自照式にするにあたって、先ず太陽電池を用いることで、省エネルギーに、さらに電池交換などのメンテナンスを不要にすることができる。次に、上述のように太陽電池を、低照度でも発電できる色素増感太陽電池（ＤＳＣ）とすることで、太陽電池を使用しても意匠パネルが点灯している時間を長くすることができる。これによって、室内に設けられ、低照度の室内灯で動作する意匠パネルを実現することができる。
【００３５】
さらにまた、本発明の意匠パネルでは、前記表裏で一体化される前記太陽電池パネル部および意匠パネル部の基板は透光性を有し、前記意匠パネル部での背面方向への発光光を前記色素増感太陽電池で回生発電することを特徴とする。
【００３６】
上記の構成によれば、表裏両面で発電可能と言う色素増感太陽電池（ＤＳＣ）の特徴を生かし、一般的に透光性を有する色素増感太陽電池（ＤＳＣ）に加えて、表裏で一体化される意匠パネル部の基板も透光性に形成する。
【００３７】
これによって、意匠パネル部での発光光で、これまでは利用されなかった背面方向への光を、低照度にも発電可能な色素増感太陽電池（ＤＳＣ）で回生発電することができ、発電効率をより向上することができる。
【発明の効果】
【００３８】
本発明の充電回路は、以上のように、太陽電池を電源として、その出力電力で二次電池または電気二重層キャパシタを充電する充電回路において、ＤＣ−ＤＣコンバータまたは電荷注入手段の前段にスイッチ素子を設けて、太陽電池からＤＣ−ＤＣコンバータまたは電荷注入手段を完全に切り離せるようにするとともに、太陽電池とスイッチ素子との間には蓄電素子を設けておき、前記太陽電池の出力電力で、先ずその蓄電素子を充電するようにし、充電電圧が高くなると、制御回路がスイッチ素子をＯＮする。
【００３９】
それゆえ、負荷の切離しで低照度での太陽電池の出力電圧を立上がり易くすることができるとともに、切離して出力電圧が立上がるまでの電力も蓄電素子に蓄積し、利用するので、より効率的に太陽エネルギーを取り込むことができる。
【図面の簡単な説明】
【００４０】
【図１】本発明の実施の一形態に係る充電回路の電気的構成を示すブロック図である。
【図２】前記充電回路の具体的構成を示す電気回路図である。
【図３】前記充電回路の動作を説明するための波形図である。
【図４】本発明の実施の他の形態に係る充電回路の電気的構成を示すブロック図である。
【図５】前記充電回路を用いる意匠パネルの一形態を示す斜視図である。
【図６】前記意匠パネルのパネルブロックの図である。
【図７】前記意匠パネルのパネルブロックの図である。
【図８】前記意匠パネルにおける導光板の正面図である。
【図９】従来技術の充電回路の電気的構成を示すブロック図である。
【図１０】太陽電池の出力特性を示すグラフである。
【図１１】ＭＰＰＴ制御を説明するための図である。
【図１２】図９の充電回路による太陽電池の出力特性の変化を示すグラフである。
【図１３】蓄電素子の動作を説明するためのグラフである。
【発明を実施するための形態】
【００４１】
（実施の形態１）
図１は、本発明の実施の一形態に係る充電回路１の電気的構成を示すブロック図である。この充電回路１は、太陽電池２を電源として、その出力電力を、ＤＣ−ＤＣコンバータ３が、蓄電装置である二次電池４に予め定められる充電電圧および充電電流に変換して、該二次電池４を充電する。本実施の形態では、太陽電池２は、低照度での発電が可能で、室内などでも使用可能な色素増感太陽電池（ＤＳＣ）としており、二次電池４としては、ニッケル水素電池としている。二次電池４は、単４サイズを２個直列に接続するものとしている。したがって、定格電圧は、１．２Ｖ×２＝２．４Ｖである。
【００４２】
注目すべきは、この充電回路１では、先ず、ＤＣ−ＤＣコンバータ３の前段に、スイッチ素子５１を設けて、太陽電池２からＤＣ−ＤＣコンバータ３を完全に切り離せるようにすることである。これは、ＤＣ−ＤＣコンバータ３が、太陽電池２の出力電力を電源として、それ自体で自発的に動作してしまうので、太陽電池２、特に低照度下で発電可能な前記色素増感太陽電池（ＤＳＣ）の場合に顕著に、ＤＣ−ＤＣコンバータ３を接続すると、それによる負荷が大き過ぎて、太陽電池２は出力電圧が立上がらず、シャットダウン状態となって有効に電力を取り出せないことがあるためである。
【００４３】
また、注目すべきは、太陽電池２とスイッチ素子５１との間には、蓄電素子６が設けられており、太陽電池２の出力電力で、先ずこの蓄電素子６が充電されるようになっており、さらにこれらの蓄電素子６およびスイッチ素子５１に関連して、制御回路７が設けられていることである。制御回路７は、蓄電素子６の充電電圧を監視し、その監視結果に応じてスイッチ素子５１をＯＮ／ＯＦＦする。詳しくは、制御回路７は、前記充電電圧を監視する電圧監視回路７１と、その監視結果に応答してスイッチ素子５１をＯＮ／ＯＦＦ制御するＯＮ／ＯＦＦ制御回路７２とを備えて構成される。ＯＮ／ＯＦＦ制御回路７２は、電圧監視回路７１で監視される充電電圧が、予め定める電圧となるまではスイッチ素子５１をＯＦＦしてＤＣ−ＤＣコンバータ３を停止させておき、予め定める電圧となるとＯＮさせて、蓄電素子６の充電電力をＤＣ−ＤＣコンバータ３に給電して、該ＤＣ−ＤＣコンバータ３を動作させる。前記予め定める電圧は、前記太陽電池２の開放端電圧に近く、ＤＣ−ＤＣコンバータ３にとって効率の良い入力電圧範囲であって、コンデンサなどから成る該蓄電素子６の定格電圧以下とする。
【００４４】
このように構成することで、先ず低照度時にＤＣ−ＤＣコンバータ３が切離されることで、太陽電池２の負荷が軽くなる。一方、太陽電池２には、蓄電素子６が接続されているが、該蓄電素子６としては、直流抵抗値が無限大に近いコンデンサ（電気二重層キャパシタ：ＥＤＬＣを含む）が用いられるので、負荷抵抗が無限大になり、図１０において、負荷線は、略水平のｃとなり、開放電圧Ｖｏｃと交わる。一方、蓄電素子６の充電電圧は、図１３に示すように、太陽電池２のＩ−Ｖ特性の電流で充電され、最終的に、太陽電池２の前記開放電圧Ｖｏｃに至る。
【００４５】
これによって、太陽電池２の出力電圧、したがって蓄電素子６の充電電圧が立上がり易くなり、一定の電荷が蓄積でき、予め定める電圧まで立上がると、ＯＮ／ＯＦＦ制御回路７２は、スイッチ素子５１をＯＮして、その立上がった電圧でＤＣ−ＤＣコンバータ３を確実に動作させることができる。ＯＮ／ＯＦＦ制御回路７２は、蓄電素子６の充電電圧、すなわちＤＣ−ＤＣコンバータ３の入力電圧が、該ＤＣ−ＤＣコンバータ３の効率の低い電圧まで下がると、スイッチ素子５１をＯＦＦして、再び蓄電素子６に充電を行う。ＯＮ／ＯＦＦ制御回路７２は、このような動作を繰返す。
【００４６】
そして、前記予め定める電圧未満の範囲の電力（図１１で充電不可能な範囲Ｗ２の電力）は、蓄電素子６に蓄積されるので、これまで発電に利用できなかった、たとえば室内灯の光のような極低照度の光も利用して、より効率的に太陽エネルギーを取り込むことができる。太陽電池２を室内に、特に照度が著しく変化する窓際に設置した場合において、より効率的に太陽エネルギーを獲得でき、好適である。
【００４７】
図２は、上述のように構成される充電回路１の具体的構成を示す電気回路図である。ＤＣ−ＤＣコンバータ３は、回路モジュールから成り、コンバータＩＣ３１と、抵抗Ｒ１９，Ｒ２１，Ｒ２２と、コンデンサＣ６，Ｃ７と、インダクタＬ１とを備えて構成される。スイッチ素子５１からハイ側ライン３２を介するハイ側入力電圧ｉｎは、抵抗Ｒ１９を介してコンバータＩＣ３１の電源入力端子ＶＩＮに入力されるとともに、イネーブル端子ＥＮをプルアップする。また、前記ハイ側入力電圧ｉｎは、インダクタＬ１を介してコンバータＩＣ３１の端子Ｌに与えられる。さらに、前記インダクタＬ１の入力側には、ＧＮＤライン３３との間にコンデンサＣ６が設けられている。前記ライン３２，３３間には、後述の共振によるノイズ除去用のコンデンサＣ７が設けられている。
【００４８】
コンバータＩＣ３１は、電源入力端子ＶＩＮへの入力電圧に対して、インダクタＬ１およびコンデンサＣ６，Ｃ７を使用して昇降圧動作を行い、大容量負荷駆動用の出力端子Ｖｏｕｔからハイ側ライン３４へ電圧ｏｕｔを出力し、その電圧ｏｕｔは、ノイズ除去用のコンデンサＣ２からダイオードＤ１および電流制限抵抗Ｒ１８を介して、二次電池４に充電電圧として与えられる。二次電池４の充電電圧は、３．０Ｖ以下となるように、前記出力端子Ｖｏｕｔからハイ側ライン３４への出力電圧ｏｕｔは、ダイオードＤ１の降下分である０．３Ｖと電流制限抵抗Ｒ１８での電圧降下分ＶR18を含めて、３．３Ｖ＋ＶR18となる。前記電流制限抵抗Ｒ１８での電圧降下分ＶR18は、二次電池４の充電電圧が最小（２．０Ｖ）時にＤＣ−ＤＣコンバータ３の出力電流が最大になるので、その時の電流値が、ＤＣ−ＤＣコンバータ３の仕様内に収まるように設定される。
【００４９】
その出力電圧ｏｕｔはまた、分圧抵抗Ｒ２１，Ｒ２２を介して、フィードバック端子ＦＢに入力され、コンバータＩＣ３１は定電圧出力を行う。このフィードバックを、前記ＭＰＰＴ（最大電力ポイント追尾）方式にしても良い。その場合、色素増感太陽電池（ＤＳＣ）の電流電圧特性に最適な負荷制御を行え、室内光のような低照度下でも有効に光エネルギーを獲得できる。
【００５０】
一方、本実施形態では、太陽電池２は、前記色素増感太陽電池（ＤＳＣ）で、２個直列に接続され、出力電圧Ｖ１の最大値が６Ｖとなっている。その太陽電池２から、ハイ側ライン７３とＧＮＤライン３３との間に出力された電圧Ｖ１は、蓄電素子（コンデンサ）Ｃ１の定格電圧になるようにツェナダイオードＺ１で制限され、該蓄電素子６を充電する。蓄電素子６には、図２のようにコンデンサＣ１が一般的であるが、充放電のサイクルが短い場合には、容量の大きい電気二重層キャパシタを用いるようにすれば、より効率的である。
【００５１】
ＯＮ／ＯＦＦ制御回路７２は、スイッチ素子Ｑ１，Ｑ２，Ｑ４と、抵抗Ｒ１〜Ｒ７，Ｒ１７と、コンデンサＣ５とを備えて構成される。太陽電池２からハイ側ライン７３に出力された電圧Ｖ１は、前記スイッチ素子５１として、ＦＥＴから成るスイッチ素子Ｑ３を介して、前記ハイ側ライン３２から前記入力電圧ｉｎ（電圧Ｖ４）としてＤＣ−ＤＣコンバータ３に与えられる。そのハイ側ライン７３とＧＮＤライン３３との間には分圧抵抗Ｒ４，Ｒ５が接続されており、コンデンサＣ１の充電電圧Ｖ１はこの分圧抵抗Ｒ４，Ｒ５で分圧されて電圧Ｖ２が出力される。この電圧Ｖ２はＦＥＴＱ２のゲートに与えられ、ＦＥＴＱ２のソースはＧＮＤライン３３に接続され、ドレインは抵抗Ｒ７，Ｒ６を介して、ハイ側ライン７３、すなわちＦＥＴＱ３のソースに接続される。
【００５２】
したがって、コンデンサＣ１に電荷が蓄積されてゆき、図３（ａ）で示すように該二次電池Ｃ１の充電電圧Ｖ１が上昇し、それに伴い、図３（ｂ）で示すようにＦＥＴＱ２のゲート電圧Ｖ２が上昇し、ＯＮ電圧Ｖｔｈ以上となると、該ＦＥＴＱ２がＯＮする。これによって、ＦＥＴＱ２のドレイン電圧Ｖ３は図３（ｃ）で示すように変化し、ＦＥＴＱ３のゲート電圧は、抵抗Ｒ６でプルアップされていた状態から、前記電圧Ｖ１を略抵抗Ｒ６，Ｒ７で分圧した電圧となり、該ＦＥＴＱ３がＯＮする。ＦＥＴＱ３のＯＮによって、ハイ側ライン３２の電圧Ｖ４（ｉｎ）は、図３（ｄ）で示すように、二次電池Ｃ１の放電に伴い低下してゆく。なお、ＦＥＴＱ２がＯＮすると、抵抗Ｒ１，Ｒ２を介して、ハイ側ライン７３から電流を引込み、それによってＦＥＴＱ１のゲート電圧が低下し、該ＦＥＴＱ１がＯＮして、抵抗Ｒ３を介して前記ＦＥＴＱ２のベース電圧Ｖ２を安定させる正帰還が行われており、チャタリングが防止されている。
【００５３】
スイッチ素子５１としてのＦＥＴＱ３がＯＮすると、前記電圧Ｖ４（ｉｎ）がコンバータＩＣ３１のイネーブル端子ＥＮに与えられ、該コンバータＩＣ３１が動作し、図３（ｅ）で示すように、安定化した電圧Ｖ５（ｏｕｔ）が出力される。
【００５４】
電圧監視回路７１は、シャントレギュレータＩＣ１と、コンパレータＩＣ２と、ダイオードＤ２と、コンデンサＣ３，Ｃ４と、抵抗Ｒ８〜Ｒ１６とを備えて構成される。先ず、前記ハイ側ライン３４の電圧Ｖ５（ｏｕｔ）がダイオードＤ２および抵抗Ｒ１０を介して取込まれ、コンデンサＣ３で平滑化されて、該電圧監視回路７１の電源電圧Ｖ６として使用される。その電圧Ｖ６は、コンパレータＩＣ２の電源入力端に供給されるとともに、抵抗Ｒ１３，Ｒ１１，Ｒ１２で分圧され、抵抗Ｒ１１，Ｒ１２間の電圧を基準として、これらの抵抗Ｒ１１，Ｒ１２と並列に接続されるシャントレギュレータＩＣ１で安定化される。
【００５５】
シャントレギュレータＩＣ１により制御された電圧は、抵抗Ｒ１４からコンデンサＣ４に与えられて安定化され、電圧Ｖ８として、コンパレータＩＣ２の非反転入力端に入力される。コンパレータＩＣ２の反転入力端には、ＤＣ−ＤＣコンバータ３への入力電圧ｉｎ（電圧Ｖ４）が、抵抗Ｒ８，Ｒ９で分圧されて入力される。コンパレータＩＣ２の出力は抵抗Ｒ１５によって正帰還されるとともに、該出力端は抵抗Ｒ１６によって前記電源電圧Ｖ６にプルアップされる。
【００５６】
コンパレータＩＣ２の出力は、ＯＮ／ＯＦＦ制御回路７２に送られ、微分用のコンデンサＣ５から放電抵抗Ｒ１７に与えられ、それらのコンデンサＣ５と抵抗Ｒ１７との接続点の電圧Ｖ１０は、ＦＥＴＱ４のゲートに与えられる。ＦＥＴＱ４は、ＦＥＴＱ２のゲート電圧Ｖ２を、ＧＮＤライン３３へ地絡するために設けられている。
【００５７】
したがって、前記図３（ｅ）で示すコンバータＩＣ３１の動作によって、図３（ｆ）で示すように、コンパレータＩＣ２の非反転入力端の電圧Ｖ８は定電圧で安定するのに対して、反転入力端の電圧Ｖ７は、コンデンサＣ１の放電に伴い低下してゆく。そして、電圧Ｖ７が電圧Ｖ８より低くなると、コンバータＩＣ３１の出力はローレベルからハイレベルに変化する。これによって図３（ｇ）で示すコンパレータＩＣ２の出力Ｖ９は前記電源電圧Ｖ６に吊上がり、コンデンサＣ５で微分されて図３（ｈ）で示す電圧Ｖ１０がＦＥＴＱ４のゲートに与えられて該ＦＥＴＱ４がＯＮする。これによって、ＦＥＴＱ２、したがってＦＥＴＱ３がＯＦＦし、図３（ｄ）で示すようにＤＣ−ＤＣコンバータ３がＯＦＦする。こうして、ＤＣ−ＤＣコンバータ３は、期間Ｔ２の間だけ駆動され、期間Ｔ１，Ｔ３の間は休止するように、間欠駆動される。
【００５８】
以上のように、図２の充電回路１によれば、低照度時にＤＣ−ＤＣコンバータ３を切離し、太陽電池２の出力電圧Ｖ１を、確実に立上げることができる。また、前記出力電圧Ｖ１が予め定める電圧未満で、前記図１１において参照符号範囲Ｗ２で示すような、これまで発電に利用できなかった電力も、有効に取込むことができる。このような充電回路１は、室内で使用される停電時の誘導灯や足元照明装置、或いはＬＡＮモジュールにおいて、それらの電源として使用することで、配線を不要にでき、好適に実施することができる。
（実施の形態２）
図４は、本発明の実施の他の形態に係る充電回路１ａの電気的構成を示すブロック図である。この充電回路１ａは、前述の充電回路１に類似し、対応する部分には同一の参照符号を付して、その説明を省略する。先ず、この充電回路１ａでは、蓄電装置として、電気二重層キャパシタ（ＥＤＬＣ）４ａが用いられる。これによって、該蓄電装置の劣化が抑えられ、メンテナンスフリー化が図られている。しかしながら、電気二重層キャパシタ（ＥＤＬＣ）４ａは、単純にコンデンサの放電曲線で放電するので、負荷との間には、定電圧回路１０が介在されている。
【００５９】
また、この充電回路１ａでは、蓄電装置として、電気二重層キャパシタ（ＥＤＬＣ）４ａが用いられることで、太陽電池２からの出力電力を該電気二重層キャパシタ（ＥＤＬＣ）４ａの端子電圧以上とする電荷注入手段を用いることで、充電を行うことができる。したがって、電荷注入手段としては、チャージポンプ回路や、最大電圧保護を行う過電圧保護回路だけでも実現可能である。しかしながら、蓄電素子６に蓄積した電荷を、できるだけ早く該電気二重層キャパシタ（ＥＤＬＣ）４ａに渡して、再び光エネルギー蓄積モードに戻すことが望ましい。一方、蓄電装置が、二次電池４であっても、電気二重層キャパシタ（ＥＤＬＣ）４ａであっても、共に電圧が低い時には、充電時に大きな電流が流れる。そのため、前記電荷注入手段としては、その大電流を流し込むだけの能力のある素子が必要で、本実施形態では、ＤＣ−ＤＣコンバータ３ａを用いている。ただし、このＤＣ−ＤＣコンバータ３ａには、図１０の負荷線ａに対応した、ＤＣ−ＤＣコンバータ３に比べて、簡素な構成を用いることができる。
【００６０】
さらにまた、この充電回路１ａでは、蓄電素子６をバイパスするための切換えスイッチ５２およびバイパスライン８が設けられるとともに、それに関連して、切換えスイッチ５２を切換える照度センサ９が設けられる。切換えスイッチ５２は、太陽電池２と蓄電素子６との間に設けられ、太陽電池２が共通接点に接続され、蓄電素子６が一方の個別接点に接続され、他方の個別接点がバイパスライン８に接続される。バイパスライン８は、蓄電素子６をバイパスして、太陽電池２とＤＣ−ＤＣコンバータ３ａとを直結することができる。
【００６１】
これは、ＤＣ−ＤＣコンバータ３，３ａの前段に蓄電素子６を設けることで、低照度での発電が可能になるが、蓄電素子６を通してしか、ＤＣ−ＤＣコンバータ３，３ａは太陽電池２の出力電力を取込むことができず、高照度では、スイッチ素子５１の切替わり（サイクル）が頻繁になるものの、該スイッチ素子５１がＯＦＦしている間は、太陽電池２の出力電力をＤＣ−ＤＣコンバータ３，３ａに移すことができないためである。特に、高照度になると、スイッチ素子５１は連続動作状態になり、充電／放電の切替え時間のロスが無視できなくなる。
【００６２】
そこで、照度センサ９は、照度を監視し、該照度が予め定める閾値以上の高照度であれば、切換えスイッチ５２を他方の個別接点、すなわちバイパスライン８に接続し、前記閾値未満の低照度であれば、切換えスイッチ５２を一方の個別接点、すなわち蓄電素子６に接続する。このような照度センサ９による高照度検知機能によって、たとえば１０，０００lux以上の高照度を検知したら、該照度センサ９は、蓄電素子６をバイパスして、太陽電池２の出力電力を直接ＤＣ−ＤＣコンバータ３，３ａに与えるので、太陽エネルギーの取込みロスを無くすことができる。
（実施の形態３）
図５は、上述のように構成される充電回路１または１ａを用いる意匠パネル１０１の一形態を示す斜視図である。この意匠パネル１０１は、太陽電池を用いた自照式の意匠パネルであるパネルブロック１０２が、支持部材１０３によって、略鉛直に起立するように支持されて構成されている。たとえば、この意匠パネル１０１は、机上や窓際になどに載置されて、表彰、褒彰、顕彰の楯などとして用いることができる。そして、この意匠パネル１０１は、そのような楯において、後述するように、特定のマークや冠の意匠部分１０４だけを光らせたり、全面を光らせたりできるようになっている。その光らせる内部照明（ＬＥＤ基板１０６（図６））の電源として、背面側に太陽電池２のパネル部１２１（図７）が設けられる。下部の支持部材１０３には、上述の充電回路１，１ａおよび２次電池４または電気二重層キャパシタ（ＥＤＬＣ）４ａ、ならびに前記ＬＥＤ基板１０６やその制御回路１０７（図６）などが収納されている。
【００６３】
したがって、楯などの意匠パネルを自照式にするにあたって、先ず太陽電池を用いることで、省エネルギーに、さらに電池交換などのメンテナンスを不要にすることができる。次に、上述のように太陽電池を、低照度でも発電できる色素増感太陽電池（ＤＳＣ）とすることで、太陽電池を使用しても意匠パネル１０１が点灯している時間を長くすることができる。これによって、室内に設けられ、低照度の室内灯で動作する意匠パネルを実現することができる。
【００６４】
図６は、パネルブロック１０２の図であり、（ａ）は正面図であり、（ｂ）は側面図である。パネルブロック１０２は、たとえば、幅Ｗが２００ｍｍ、高さＨ１が３００ｍｍ、厚さＤが１５ｍｍの薄型パネル１０５の下部に、周辺回路部品が取付けられて構成される。その周辺回路部品として、薄型パネル１０５の直下には、前記内部照明のエッジライトとして、高さＨ２、たとえば５ｍｍのＬＥＤ基板１０６が設けられている。そのＬＥＤ基板１０６の下方において、一方の側部側にはＬＥＤ制御回路１０７が配置され、他方の側部側には充電回路１または１ａが配置され、それらの回路１０７；１，１ａの下方には、電池ボックスが設けられている。電池ボックス内には、たとえば前記単４形の２次電池４が、２個直列に収納されている。
【００６５】
たとえば、前記回路１０７；１，１ａの高さＨ３は２５ｍｍであり、電池ボックスまでも含めた高さＨ４は４５ｍｍである。なお、図５および図６で示す例では、回路１０７；１，１ａおよび電池ボックスは、パネルブロック１０２が延長されて搭載されているが、支持部材１０３内に収納されてもよい。
【００６６】
図７は、前記パネルブロック１０２の一実施形態の図であり、（ａ）は正面図であり、（ｂ）は側面図である。パネルブロック１０２は、意匠パネル部１１１と太陽電池パネル部１２１とを有し、かつそれらが個別に作製され、それらの意匠パネル部１１１および太陽電池パネル部１２１は、相互に表裏面となるように重ね合わせられて構成されている。
【００６７】
そして、意匠パネル部１１１は、前記ＬＥＤ基板１０６を用いたエッジライト（内部照明）式の意匠パネルであり、表面側から、意匠が施された加飾パネル１１２と、照明光を拡散する散光板１１３と、前記照明光を伝播する導光板１１４と、反射板１１５とが積層されるとともに、前記導光板１１４の端縁に、前記ＬＥＤ基板１０６が設けられて構成される。このようなエッジライト式の内照式パネルで構成することで、該意匠パネル１０１を薄型化することができる。なお、図７（ｂ）では、上述のようなパネルブロック１０２の積層構造を理解し易くするために、図５や図６に比べて、厚みを強調して（厚く描いて）いる。
【００６８】
加飾パネル１１２は、たとえば２ｍｍの透明な樹脂板の裏面において、前記意匠部分１０４に、所望の複数色の意匠がハーフトーン印刷されて構成されている。散光板１１３は、たとえば１ｍｍの乳白色の板から成り、導光板１１４を介する照明光を、面方向に均一に拡散する。反射板１１５は、導光板１１４側が鏡面に加工された、たとえば１ｍｍの樹脂板や、金属薄板などから構成される。ただし、反射板１１５は、意匠部分１０４に反射膜は形成されていない。
【００６９】
そして、前述のように、加飾パネル１１２の意匠部分１０４は複数色の意匠がハーフトーン印刷されて形成されており、前記ＬＥＤ基板１０６に搭載される発光素子としてのＬＥＤにも、複数色の素子を用い、印刷色とＬＥＤの光源色との組合わせによって、前記意匠部分１０４が選択的に発光するように構成してもよい。たとえば、赤色のＬＥＤが発光すると赤色の意匠部分が発光し、緑色のＬＥＤが発光すると緑色の意匠部分が発光し、・・・白色のＬＥＤが発光すると総ての色の意匠部分が発光するというような具合である。このように構成することで、意匠部分１０４への注目度を飛躍的に高めることができる。
【００７０】
このように構成される太陽電池パネル部１２１が、前述の意匠パネル部１１１に背中合わせで積層され、周縁部の少なくとも３辺に、軸直角断面がコの字状のフレーム１３１が嵌め込まれるなどして一体化されることで、前記パネルブロック１０２が完成する。したがって、太陽電池パネル部１２１はそのままで、意匠パネル部１１１だけを変更（交換）するような使い方も可能になる。
【００７１】
図８は、導光板１１４の正面図である。導光板１１４は、たとえば３ｍｍの透明な樹脂板１１６の表面において、前記意匠部分１０４だけの領域に、凹凸１１７が形成されて構成される。前記凹凸１１７は、レーザ加工或いはＮＣルーター加工によって形成され、或いはスクリーン印刷やエッチングなどで形成される。そして、前記ＬＥＤ基板１０６から入射した照明光が、該導光板１１４の厚み方向に反射を繰返して面方向に伝播してゆき、前記凹凸１１７の部分だけ、すなわち意匠部分１０４だけで厚み方向に取出され、加飾パネル１１２の背面側から照射される。
【００７２】
このとき、前記意匠部分１０４の凹凸１１７によって、光の伝播方向が面方向から厚み方向に変化して、前方に射出された光はそのまま意匠部分１０４を照明するが、元来利用されなかった後方に射出された光は、反射板１１５の反射膜の無い部分を通過して、太陽電池パネル部１２１に入射する。太陽電池パネル部１２１は、前述のように色素増感太陽電池（ＤＳＣ）から成り、電極の形成された一対の基板１２２，１２３間に、色素を吸着した図示しない酸化チタン粒子や、電解液が封入されて構成される。ここで、後方側の基板１２２は、透光性を有する。このように構成することで、表裏で一体化される太陽電池パネル部１２１および意匠パネル部１１１において、意匠パネル部１１１での背面方向への発光光を、太陽電池パネル部１２１で回生発電することができる。
【００７３】
これは、表裏両面で発電可能と言う色素増感太陽電池（ＤＳＣ）の特徴を生かし、一般的に透光性を有する色素増感太陽電池（ＤＳＣ）の基板１２２，１２３に加えて、表裏で一体化される意匠パネル部１１１の基板（本実施形態の場合は導光板１１４および反射板１１５が相当）も透光性に形成する（前記反射膜の形成されていない意匠部分１０４）ことで実現され、これまでは利用されなかった背面方向への光を、低照度にも発電可能な色素増感太陽電池（ＤＳＣ）で回生発電し、発電効率をより向上することができる。
【００７４】
そして、太陽電池パネル部１２１は、色素増感太陽電池（ＤＳＣ）から成ることで、色素の違いを利用して、受光面に意匠を形成することができる。また、前記色素増感太陽電池（ＤＳＣ）では、発電層（一般的には二酸化チタン）の厚み（層数）の差によっても、意匠を形成することができる。こうして、意匠パネル部１１１の意匠部分１０４と、表裏で異なる意匠を表示することもできる。また、前記実施例では、導光板１１４に凹凸パターンを形成したが、導光板１１４に凹凸を形成せず、単なる透明板として、別途、透明板に凹凸を形成した板を、前記加飾パネル１１２と散光板１１３との間に配置する構造としてもよい。
【符号の説明】
【００７５】
１，１ａ    充電回路
２    太陽電池
３，３ａ    ＤＣ−ＤＣコンバータ
３１    コンバータＩＣ
４    二次電池
４ａ    電気二重層キャパシタ（ＥＤＬＣ）
５１    スイッチ素子
５２    切換えスイッチ
６    蓄電素子
７    制御回路
７１    電圧監視回路
７２    ＯＮ／ＯＦＦ制御回路
８    バイパスライン
９    照度センサ
１０    定電圧回路
１０１  意匠パネル
１０２  パネルブロック
１０３  支持部材
１０４  意匠部分
１０６  ＬＥＤ基板
１０７  制御回路
１１１  意匠パネル部
１１２  加飾パネル
１１３  散光板
１１４  導光板
１１５  反射板
１１６  樹脂板
１１７  凹凸
１２１  太陽電池パネル部
１２２，１２３    基板
１３１  フレーム
Ｃ１〜Ｃ７    コンデンサ
Ｄ１，Ｄ２    ダイオード
ＩＣ２  コンパレータ
Ｌ１    インダクタ
Ｑ１〜Ｑ４    スイッチ素子
Ｒ１〜Ｒ１９，Ｒ２１，Ｒ２２    抵抗
【図１】
2018038224.tif 000003
【図２】
2018038224.tif 000004
【図３】
2018038224.tif 000005
【図４】
2018038224.tif 000006
【図５】
2018038224.tif 000007
【図６】
2018038224.tif 000008
【図７】
2018038224.tif 000009
【図８】
2018038224.tif 000010
【図９】
2018038224.tif 000011
【図１０】
2018038224.tif 000012
【図１１】
2018038224.tif 000013
【図１２】
2018038224.tif 000014
【図１３】
2018038224.tif 000015